(57)【要約】【課題】着座している被施術者の指等の挟み込みを防ぐことのできる理美容椅子を提供する。【解決手段】後側座部６の底面部前側に設けた接触部と、接触部が身体と接触したことを示す電気信号を生成する検知信号生成部とを有する後側身体検出部を備え、昇降機構部３の制御手段は、後側身体検知部から電気信号が出力されたとき、後側座部６の下降を停止させることを特徴とする。【選択図】図１
2017104265.tif 000002
【特許請求の範囲】
【請求項１】
被施術者が着座する座部を、足掛け部の上方に配置される前側座部と背凭れ部側に配置される後側座部に分割して備える理美容椅子であって、
前記前側座部および前記後側座部を各々昇降させる昇降機構部と、
前記後側座部に設置される後側身体検知部と、
を備え、
前記後側身体検知部は、
前記後側座部の底面部前側に設けた板状の接触部と、
前記接触部が前記身体と接触したことを示す電気信号を生成する検知信号生成部と、
を有し、
前記昇降機構部は、
前記後側身体検知部から前記電気信号が出力されたとき、前記後側座部の下降を停止させる制御手段を有する、
ことを特徴とする理美容椅子。
【請求項２】
前記後側身体検知部の接触部は、前記後側座部の前端部分と略同等の幅員を有し、前記被施術者の身体が接触したとき該接触部の板面が変位するように回動機構を介して前記後側座部の底面部に設置され、前記後側身体検知部の検知信号生成部は、前記後側身体検知部の接触部が変位したとき所定電気信号を生成する回路を有し、
前記後側身体検知部の検知信号生成部と前記制御手段との間を接続するリード線を、前記後側座部の底面部から、前記後側座部の昇降動作の障害とならない位置にガイドするガイド部材に沿わせて配線した、
ことを特徴とする請求項１に記載の理美容椅子。
【請求項３】
前記前側座部の底面部前側に設けた板状の接触部と、前記接触部が前記身体と接触したことを示す電気信号を生成する検知信号生成部と、
を有する前側身体検知部を備え、
前記昇降機構部の制御手段は、
前記前側身体検知部から前記電気信号が出力されたとき、前記前側座部および前記後側座部の下降を停止させる、
ことを特徴とする請求項１または２に記載の理美容椅子。
【請求項４】
前記前側身体検知部の接触部は、前記前側座部の前端部分と略同等の幅員を有し、前記被施術者の身体が接触したとき該接触部の板面が変位するように回動機構を介して前記前側座部の底面部に設置され、前記前側身体検知部の検知信号生成部は、前記前側身体検知部の接触部が変位したとき所定電気信号を生成する回路を有し、
前記前側身体検知部の検知信号生成部と前記制御手段との間を接続するリード線を、前記前側座部の底面部から、前記前側座部の昇降動作の障害とならない位置にガイドするガイド部材に沿わせて配線した、
ことを特徴とする請求項３に記載の理美容椅子。
【発明の詳細な説明】
【技術分野】
【０００１】
本発明は、子供などの身長が低い被施術者に対応して高さを調整するとき、当該被施術者が座る座部等に被施術者の指などが挟まれることを防ぐ理美容椅子に関する。
【背景技術】
【０００２】
従来にあっては、頭髪のカットなどを行う際には、被施術者の身長等に応じて理美容椅子を昇降させて、施術を容易に行うことができる高さに調整している。
特に、子供などの身体の小さい被施術者が、背中を理美容椅子の背凭れ部に当てて着座すると、被施術者の頭部が背凭れ部の上端から上方へ突出せず、頭髪の施術が困難な状態になる。また、当該椅子の下方に配置された足掛け部等に被施術者の足部が届かず、着座中の身体が不安定になる場合がある。
【０００３】
そこで、身体の小さい被施術者の着座姿勢を安定させるため、座部を前側と後側に分割し、後側座部と前側座部とを個別に昇降可能に構成したものがある（例えば、特許文献１参照）。
この理美容椅子は、座部を後方座面と前方座面に分割し、各々昇降機構を備えており、身体の小さい被施術者を着座させるときには、背凭れ部に近接する後方座面を、前方座面よりも高い位置に固定し、被施術者を後方座面に着座させ、足部を前方座面に載せる。
このように後方座面に着座すると、被施術者は腰を後方に引いて背中全体を背凭れ部に当接させ、足裏を前方座面に載せた状態になり、当該被施術者の姿勢を安定させることが容易になる。
【先行技術文献】
【特許文献】
【０００４】
【特許文献１】特開２００４−２７５３１９号公報
【発明の概要】
【発明が解決しようとする課題】
【０００５】
従来の理美容椅子は、以上のように構成されているので、後側座部を下降させるとき、当該後側座部に着座している被施術者が、手の指などを後側座部と前側座部との間に挟み込んでしまうことがある。
これは、着座している被施術者に、ひざ掛けやヘアカット時などに使用するカットクロスを掛けた場合、当該被施術者の身体が隠れてしまい、腕や手の位置を施術者の位置から視認することが困難になる。
特に、被施術者が子供の場合には注意を喚起させることが難しく、手の指などを挟み込む障害が発生し易いという問題があった。
【０００６】
本発明は前記した問題点を解決せんとするもので、その目的とするところは、着座している被施術者の指等の挟み込みを防ぐことのできる理美容椅子を提供せんとするにある。
【課題を解決するための手段】
【０００７】
本発明の理美容椅子は前記した目的を達成せんとするもので、請求項１の手段は、被施術者が着座する座部を、足掛け部の上方に配置される前側座部と背凭れ部側に配置される後側座部に分割して備える理美容椅子であって、前記前側座部および前記後側座部を各々昇降させる昇降機構部と、前記後側座部に設置される後側身体検知部とを備え、前記後側身体検知部は、前記後側座部の底面部前側に設けた板状の接触部と、前記接触部が前記身体と接触したことを示す電気信号を生成する検知信号生成部とを有し、前記昇降機構部は、前記後側身体検知部から前記電気信号が出力されたとき、前記後側座部の下降を停止させる制御手段を有することを特徴とする。
【０００８】
請求項２の手段は、前記した請求項１において、後側身体検知部の接触部は、後側座部の前端部分と略同等の幅員を有し、被施術者の身体が接触したとき該接触部の板面が変位するように回動機構を介して前記後側座部の底面部に設置され、前記後側身体検知部の検知信号生成部は、前記後側身体検知部の接触部が変位したとき所定電気信号を生成する回路を有し、前記後側身体検知部の検知信号生成部と前記制御手段との間を接続するリード線を、前記後側座部の底面部から、前記後側座部の昇降動作の障害とならない位置にガイドするガイド部材に沿わせて配線したことを特徴とする。
【０００９】
請求項３の手段は、前記した請求項１または２において、前側座部の底面部前側に設けた板状の接触部と、接触部が前記身体と接触したことを示す電気信号を生成する検知信号生成部とを有する前側身体検知部を備え、昇降機構部の制御手段は、前記前側身体検知部から前記電気信号が出力されたとき、前側座部および後側座部の下降を停止させることを特徴とする。
【００１０】
請求項４の手段は、前記した請求項３において、前側身体検知部の接触部は、前側座部の前端部分と略同等の幅員を有し、被施術者の身体が接触したとき該接触部の板面が変位するように回動機構を介して前記前側座部の底面部に設置され、前記前側身体検知部の検知信号生成部は、前記前側身体検知部の接触部が変位したとき所定電気信号を生成する回路を有し、前記前側身体検知部の検知信号生成部と前記制御手段との間を接続するリード線を、前記前側座部の底面部から、前記前側座部の昇降動作の障害とならない位置にガイドするガイド部材に沿わせて配線したことを特徴とする。
【発明の効果】
【００１１】
本発明は前記したように、後側座部の底面部に後側身体検出を設置し、後側身体検出部から有意を示す信号が出力されたとき、後側座部の下降を停止するようにしたので、施術者から確認の困難な被施術者の手の指などを、理美容椅子の前側座部と後側座部との間に挟む障害等を防ぐことができる。
【００１２】
また、後側身体検出部および前側身体検出部と制御手段との間を接続するリード線を、ガイド部材に沿わせて配線したので、後側座部ならびに前側座部の昇降時に発生するリード線の損傷を防ぐことができる。
【００１３】
さらに、前側座部の底面部に前側身体検出部を設置し、前側身体検出部から有意を示す信号が出力されたとき、前側座部および後側座部の下降を停止するようにしたので、施術者から確認の困難な被施術者の手の指などを、理美容椅子の足掛け部上端等と前側座部との間に挟む障害等を防ぐことができる。
【図面の簡単な説明】
【００１４】
【図１】本発明の実施例による理美容椅子の概要を示す斜視図である。
【図２】図１の理美容椅子の後側座部を上昇させた状態を示す説明図である。
【図３】図１の理美容椅子の前側座部および後側座部を上昇させた状態を示す説明図である。
【図４】図２に示した理美容椅子の座部の昇降機構部を示す説明図である。
【図５】図３に示した理美容椅子の座部の昇降機構部を示す説明図である。
【図６】後側座部に備えられた後側安全スイッチの配線経路を示す説明図である。
【図７】前側座部に備えられた前側安全スイッチの配線経路を示す説明図である。
【発明を実施するための形態】
【００１５】
以下、本発明の実施の一形態を説明する。
［実施例］
図１は、本発明の実施例による理美容椅子の概要を示す斜視図である。図示した理美容椅子１は、床面に載置される基台２、理美容椅子１の高さ、もしくは前側座部５および後側座部６の高さを各々調整する昇降機構部３、理美容椅子１の着座した被施術者の足を載せる足掛け部４を備えている。
また、昇降機構部３の上側には、被施術者が腰かける前側座部５および後側座部６が配置され、当該前側座部５および後側座部６の両側方に各々肘掛部７を配置し、後側座部６の後端には背凭れ部８を備えている。
【００１６】
図２は、図１の理美容椅子１の後側座部を上昇させた状態を示す説明図である。図２（ａ）は、理美容椅子１の後側座部６を、前側座部５よりも高い位置に上昇させた状態を示す斜視図である。また、図２（ｂ）は、図２（ａ）の状態における理美容椅子１の概略縦断面図である。
後側座部６は、身体の小さい、例えば子供などの被施術者が座ることのできる程度の奥行きを有し、前側座部５は、上記の身体の小さい被施術者の足部を載置できる程度の奥行きを有している。
【００１７】
後側座部６は、底面部に昇降ガイド部１１の上端部、後側配線ガイド部材１２、後側昇降シリンダ１３の上端部が固定されている。
昇降ガイド部１１は、後側座部６を昇降可能に支持する、例えば円柱状の軸部材を有し、軸部材の上側を支持するボールベアリング、および、当該ボールベアリングを保持するベアリング保持部を備えている前側座部５の底面部後方を挿通する。また、上記軸部材の下側を支持するドライベアリング部をも挿通し、後側座部６が昇降するとき垂直方向の直線移動をガイドし、前側座部５などに対する後側座部６の位置決めを行うように構成されている。
【００１８】
この昇降ガイド部１１の下端部は、上記のドライベアリング部を昇降機構プラットフォーム２５に固定して、上記軸部材を昇降自在に支持している。また、当該昇降ガイド部１１の上端部は、ボールベアリングを介して軸部材を支持するように、上記のベアリング保持部を後側座部６の底面部に固定している
昇降機構プラットフォーム２５は、理美容椅子１のフレームの一部分を構成する、または当該フレーム等の構造体に固定されているものである。
【００１９】
後側配線ガイド部材１２は、基端部が後側座部６の底面部に固定され、下方へ垂直に延設された例えば長尺金具であり、後述するリード線３０のガイド部材である。詳しくは、昇降する後側座部６と、昇降機構プラットフォーム２５を介し昇降機構部３に含まれる制御ユニットとの間において、リード線３０を昇降動作の障害とならない位置にガイドするものである。
また、後側配線ガイド部材１２は、後側座部６と共に昇降することから、例えば昇降機構プラットフォーム２５に設置された後側高さ検知部２６と接触する、もしくは近接するように配置され、当該後側高さ検知部２６が、後側座部６の高さ位置を読み取る後側高さ読取用金具として機能するものである。
後側高さ検知部２６は、例えば上記の後側高さ読取用金具（後側配線ガイド部材１２）の昇降動作によって抵抗値が可変するボリュームを備えて構成されたもので、後側座部６の高さ位置を示す信号を後述する制御ユニットへ出力するように配線接続（図示省略）されている。
後側昇降シリンダ１３は、後側座部６を昇降させる例えば油圧シリンダであり、昇降機構部３に含まれる制御ユニットの動作制御に応じて昇降するように設置構成されている。
【００２０】
後側安全スイッチ部１４（後側身体検知部）は、後側座部６の裏側、即ち底面部に設置された板状部材（接触部）を有し、この板状部材に被施術者の指など身体の一部が接触すると、所定の電気信号を出力するように構成されたもので、上記の板状部材は、後側座部６と前側座部５との当接部分等に挟まれた身体の一部を検出するように、後側座部６の前端部分に設置されている。
【００２１】
後側安全スイッチ部１４は、前述の板状部材を後側座部６の底面部において下方側に露出させており、この板状部材に身体が触れることによって所定圧が加わり、もしくは、身体の挟み込みによって当該板状部材が上方に変位すると、例えばマイクロスイッチなどの電気接点を閉じるように構成されている。上記の板状部材は、例えば、前側部位が垂直方向に可動して変位するように、後側部位を回動金具（図示省略）などを用いて後側座部６の底面部に取付け固定されている。
また、後側安全スイッチ部１４は、上記の板状部材が変位したとき所定の電気信号を出力するように回路構成された検知信号生成部（図示省略）を備えており、この電気信号を昇降機構部３等に含まれている例えば制御ユニット等へ出力するように配線接続されている。
なお、身体と接触する板状部材に替えて、例えば身体の接触を検知するパネル状のタッチセンサー等を備えた後側安全スイッチ部１４を用いることも可能である。
【００２２】
ここで、昇降機構部３に含まれる、図示されない上記の制御ユニットは、プロセッサなどのデバイスによって、前側昇降シリンダ２３および後側昇降シリンダ１３の伸縮動作を個別に制御するように構成されたものである。
【００２３】
図３は、図１の理美容椅子１の前側座部５および後側座部６を上昇させた状態を示す説明図である。図３（ａ）は、理美容椅子１の前側座部５および後側座部６を同じ高さに上昇させた状態を示す斜視図であり、図３（ｂ）は、図３（ａ）の状態における理美容椅子１の概略断面図である。
前側座部５は、底面部後方に昇降ガイド部１１を支持するベアリング保持部が固定されており、当該前側座部５の昇降移動をガイドし、前側座部５を支持するように備えられている。なお、この昇降ガイド部１１の下端部はドライベアリング部を昇降プラットフォーム２５等に固定して昇降自在に支持している。
また、前側座部５の底面部には、前側配線ガイド部材２２、前側昇降シリンダ２３の上端部が固定されており、さらに、後側安全スイッチ部１４と概ね同様に構成された前側安全スイッチ部２４（前側身体検知部）が設置されている。
【００２４】
前側配線ガイド部材２２は、基端部が前側座部５の底面部に固定され、下方へ垂直に延設された例えば長尺金具であり、後述するリード線３１のガイド部材である。詳しくは、昇降する前側座部５と、昇降機構プラットフォーム２５を介し昇降機構部３に含まれる制御ユニットとの間において、リード線３１を昇降動作の障害とならない位置にガイドするものである。
また、前側配線ガイド部材２２は、前側座部５と共に昇降することから、例えば昇降機構プラットフォーム２５に設置された前側高さ検知部２７と接触する、もしくは近接するように配置され、当該前側高さ検知部２７が、前側座部５の高さ位置を読み取る前側高さ読取用金具として機能するものである。
前側高さ検知部２７は、例えば上記の前側高さ読取用金具（前側配線ガイド部２２）の昇降動作によって抵抗値が可変するボリュームを備えて構成されたもので、前側座部５の高さ位置を示す信号を昇降機構部３の制御ユニットへ出力するように配線接続（図示省略）されている。
前側昇降シリンダ２３は、前述の後側昇降シリンダ１３と同様な例えば油圧シリンダであり、前側座部５のみを昇降させるように備えられたものであり、昇降機構部３に含まれる制御ユニットの動作制御に応じて昇降するように設置構成されている。
【００２５】
図４は、図２に示した理美容椅子１の座部の昇降機構部を示す説明図である。この図は、後側座部６のみを上昇させて前側座部５よりも高い位置に配置した状態における、理美容椅子１の各座部の昇降機構部の状態もしくは構成を示している。
図５は、図３に示した理美容椅子１の座部の昇降機構部を示す説明図である。この図は、後側座部６と前側座部５を同じ高さに上昇させた状態における、理美容椅子１の各座部の昇降機構部の状態もしくは構成を示している。
なお、図４および図５に示した昇降機構プラットフォーム２５は、図示されない昇降機構部３の上端部、もしくは理美容椅子１のフレーム等構造体に固定されているものである。
【００２６】
後側座部６の後側安全スイッチ部１４は、例えばレバースイッチ状に構成されたもので、当該後側座部６の底面部側に、レバーの先端部に相当する板状部材等を露出させている。この板状部材は、例えば後側座部６の前端部分を掴んだ被施術者の指等と接触可能なように、後側座部６前端の下側に配置され、当該後側座部６の概ね横幅全体にわたる大きさ、ならびに形状に形成されたものである。
前側座部５の前側安全スイッチ部２４は、前側座部５の底面部側に板状部材等を露出させている。この板状部材は、例えば前側座部５の前端部分を掴んだ被施術者の指等と接触可能なように、前側座部５前端の下側に配置され、当該前側座部５の概ね横幅全体にわたる大きさ、ならびに形状に形成されたものである。
【００２７】
図６は、後側座部６に備えられた後側安全スイッチ部１４の配線経路を示す説明図である。図６（ａ）、（ｂ）は、前側座部５を上昇させず、後側座部６を上昇させた状態を示している。後側安全スイッチ部１４に接続されているリード線３０は、当該後側安全スイッチ部１４の信号出力端子と、例えば昇降機構プラットフォーム２５に設けられた、昇降機構部３の制御ユニット等との間を接続している。
後側安全スイッチ部１４に接続されたリード線３０は、後側座部６の底面部を伝って後側配線ガイド部材１２の基端部から先端部へ向かって、例えば後側配線ガイド部材１２の縁部分に沿って下方へ配線されている。
【００２８】
後側配線ガイド部材１２は、図６（ａ）、（ｂ）に示したように、後側座部６を上昇させた状態において、先端部が昇降機構プラットフォーム２５に到達するように構成されており、この後側配線ガイド部材１２に沿わせて配設されたリード線３０も、昇降機構プラットフォーム２５に到達し、さらに若干の予長部分が生じる長さを有している。
リード線３０は、適当な位置において後側配線ガイド部材１２に、例えば締結バンドや固定ファスナーなどを用いて固定されている。このリード線３０の固定は、図６（ｃ）に示したように後側座部６を標準位置まで下降させた状態において、リード線３０の余長部分が、当該理美容椅子１もしくは昇降機構部３のいずれかの部位に接触しないように行われる。
【００２９】
なお、リード線３０の、後側配線ガイド部材１２に固定した部分と上記余長部分を合せた線長は、当該後側配線ガイド部材１２の昇降ストローク長、即ち、後側座部６の昇降ストローク長と概ね等しく、また、適当な余裕を有する長さである。
また、リード線３０の、後側配線ガイド部材１２に固定した部分、ならびに、後側座部６の底面部に沿って配線した部分に、図示を省略した配線カバー等を付設し、他の構成部位と接触することによって損傷することを防ぐようにしてもよい。
上記のようにリード線３０を後側配線ガイド部材１２に沿わせて固定することにより、後側座部６を昇降自在としながら、後側安全スイッチ部１４と昇降機構部３の制御ユニットとの接続を安定した確実なものとしている。
【００３０】
図７は、前側座部５に備えられた前側安全スイッチ部２４の配線経路を示す説明図である。図７（ａ）、（ｂ）は、前側座部５と後側座部６とを同じ高さに上昇させた状態を示している。前側安全スイッチ部２４に接続されているリード線３１は、当該前側安全スイッチ部２４の信号出力端子と、例えば昇降機構プラットフォーム２５に設けられた、昇降機構部３の制御ユニット等との間を接続している。
前側安全スイッチ部２４に接続されたリード線３１は、前側座部５の底面部を伝って前側配線ガイド部材２２の基端部から先端部へ向かって、例えば前側配線ガイド部材２２の縁部分に沿って下方へ配線されている。
【００３１】
前側配線ガイド部材２２は、図７（ａ）、（ｂ）に示したように、前側座部５および後側座部６を上昇させた状態において、先端部が昇降機構プラットフォーム２５に到達するように構成されており、この前側配線ガイド部材２２に沿わせて配設されたリード線３１も、昇降機構プラットフォーム２５に到達し、さらに若干の予長部分が生じる長さを有している。
リード線３１は、適当な位置において前側配線ガイド部材２２に、例えば締結バンドや固定ファスナーなどを用いて固定されている。このリード線３１の固定は、図６（ｃ）に示したように前側座部５および後側座部６を標準位置まで下降させた状態において、リード線３１の余長部分が、当該理美容椅子１もしくは昇降機構部３のいずれかの部位に接触しないように行われる。
【００３２】
なお、リード線３１の、前側配線ガイド部材２２に固定した部分と上記余長部分を合せた線長は、当該前側配線ガイド部材２２の昇降ストローク長、即ち、前側座部５の昇降ストローク長と概ね等しく、また、適当な余裕を有する長さである。
また、リード線３１の、前側配線ガイド部材２２に固定した部分、ならびに、前側座部５の底面部に沿って配線した部分に、図示を省略した配線カバー等を付設し、他の構成部位と接触することによって損傷することを防ぐようにしてもよい。
上記のようにリード線３１を前側配線ガイド部材２２に沿わせて固定することにより、前側座部５を昇降自在としながら、前側安全スイッチ部２４と昇降機構部３の制御ユニットとの接続を安定した確実なものとしている。
【００３３】
理美容椅子１は、例えば、前側座部５ならびに後側座部６の昇降動作を、昇降機構部３に配線接続された背凭れ部８の側面部に設置された操作スイッチなどによって操作するように構成されている。
また、理美容椅子１は、身体の小さい被施術者を後側座部６に着座させることから、通常は、前側座部５のみを上昇させた状態で被施術者を着座させることはないと考えられる。そのため、昇降機構３の制御ユニットは、通常の使用形態においては後側座部６を上昇させず標準高さに固定して前側座部５のみを上昇させる動作制御を行わない。
【００３４】
換言すると、昇降機構部３の制御ユニットは、理美容椅子１の各座部が標準高さに位置しているとき（前側昇降シリンダ２３および後側昇降シリンダ１３が共に最も低い状態にあるとき）には後側座部６のみを上昇させる、または、前側座部５と後側座部６を同時に上昇させる制御を行う。
また、前側座部５よりも後側座部６が高い位置にあるときに限り、後側座部６のみを下降させる制御を行う。また、前述の標準高さよりも高い位置において、前側座部５と後側座部６が同じ高さ等にあるときには、前側座部５と後側座部６を同時に下降させる制御を行う。
【００３５】
そこで、昇降機構部３の制御ユニットは、後側高さ検知部２６および前側高さ検知部２７から出力された信号が、前側座部５よりも後側座部６が高い位置にあることを示し、後側座部６を下降させているときに、後側安全スイッチ部１４から有意を示す信号を入力すると、後側座部６の下降を停止させる。
また、前側座部５と後側座部６を同時に下降させているときに、前側安全スイッチ部２４から有意を示す信号を入力すると、前側座部５および後側座部６の下降を停止させる。
【符号の説明】
【００３６】
１          理美容椅子
２          基台
３          昇降機構部
４          足掛け部
５          前側座部
６          後側座部
７          肘掛部
８          背凭れ部
１１        昇降ガイド部
１２        後側配線ガイド部材（後側高さ読取用金具）
１３        後側昇降シリンダ
１４        後側安全スイッチ部
２２        前側配線ガイド部材（前側高さ読取用金具）
２３        前側昇降シリンダ
２４        前側安全スイッチ部
２５        昇降機構プラットフォーム
２６        後側高さ検知部
２７        前側高さ検知部
３０，３１  リード線
【図１】
2017104265.tif 000003
【図２】
2017104265.tif 000004
【図３】
2017104265.tif 000005
【図４】
2017104265.tif 000006
【図５】
2017104265.tif 000007
【図６】
2017104265.tif 000008
【図７】
2017104265.tif 000009